(57)【要約】      （修正有）【課題】建物に取り付けられ、当該建物に設置される複数の被制御機器の作動を制御するコントローラにおいて、被制御機器の動作がどのような操作装置の操作要求に起因して実現されたのかをユーザが容易に把握できるようにする。【解決手段】ＨＥＭＳコントローラ１９は、被制御機器１１〜１５に対する操作内容を含む操作要求を、複数の操作装置２、４、５、１６、１７のうち１つの操作装置からの情報に基づいて取得した場合、当該１つの操作装置の識別情報と操作内容とを互いに関連付けてメモリ中の操作履歴に記録する。操作履歴に互いに関連付けて記録されている当該１つの操作装置の識別情報と操作内容とを装置４、５、１６、１７、１８、１９の表示部に表示させる。【選択図】図１
2016019084.tif 000002
【特許請求の範囲】
【請求項１】
建物（１０ａ〜１０ｃ）に取り付けられ、前記建物に設置される被制御機器（１１〜１５）の作動を制御するコントローラであって、
メモリ（１９１）と、
演算部（１９５）と、を備え、
前記演算部は、
前記被制御機器に対する操作内容（６４）を含む操作要求（６０）を、複数の操作装置（２、４、５、１６、１７、１９２）のうち１つの操作装置からの情報に基づいて取得する取得手段（１１０）と、
前記取得手段が前記操作要求を取得したことに基づいて、前記１つの操作装置の識別情報と前記操作内容とを互いに関連付けて前記メモリ中の操作履歴（１９１ｂ）に記録する記録手段（１３０）と、
前記取得手段が前記操作要求を取得したことに基づいて、前記被制御機器に前記操作内容を実現させる制御命令を前記被制御機器に送信する制御命令送信手段（１４０）と、
前記記録手段によって前記操作履歴に互いに関連付けて記録されている前記１つの操作装置の識別情報と前記操作内容とを表示部（１９３、４３）に表示させる表示制御手段（２３０）と、を有することを特徴とするコントローラ。
【請求項２】
前記１つの操作装置の識別情報は、前記１つの操作装置を他の操作装置と区別できる識別情報であることを特徴とする請求項１に記載のコントローラ。
【請求項３】
前記１つの操作装置の識別情報は、前記演算部が、前記建物の外の広域通信ネットワークを介して前記操作要求を取得したか、前記広域通信ネットワークを介さず前記操作要求を取得したかを区別できる識別情報であることを特徴とする請求項１に記載のコントローラ。
【請求項４】
前記演算部は、前記複数の操作装置のうち１つ以上について前記操作要求の受け付けの可否が設定された可否リスト（１９１ａ）を前記メモリに記録する可否リスト記録手段を有し、
前記記録手段は、前記取得手段が前記操作要求を取得した場合、前記可否リストによれば前記操作要求の受け付けが可であれば、前記１つの操作装置の識別情報と前記操作内容とを互いに関連付けて前記メモリ中の操作履歴（１９１ｂ）に記録し、
前記制御命令送信手段は、前記取得手段が前記操作要求を取得した場合、前記可否リストによれば前記操作要求の受け付けが可であれば、前記被制御機器に前記操作内容を実現させる前記制御命令を前記被制御機器に送信することを特徴とする請求項１ないし３のいずれか１つに記載のコントローラ。
【請求項５】
建物（１０ａ〜１０ｃ）に取り付けられ、前記建物に設置される被制御機器（１１〜１５）の作動を制御するコントローラであって、
メモリ（１９１）と、
演算部（１９５）と、を備え、
前記演算部は、
前記被制御機器に対する操作内容（６４）を含む操作要求（６０）を、複数の操作装置（２、４、５、１６、１７、１９２）のうち１つの操作装置からの情報に基づいて取得する取得手段（１１０）と、
前記取得手段が前記操作要求（６０）を取得したことに基づいて、前記被制御機器に前記操作内容を実現させる制御命令を前記被制御機器に送信する制御命令送信手段（１４０）と、
前記取得手段が前記操作要求（６０）を取得したことに基づいて、前記１つの操作装置の識別情報と前記被制御機器の動作状態とを表示部（１９３、４３）に表示させる表示制御手段（１６０）と、を有することを特徴とするコントローラ。
【発明の詳細な説明】
【技術分野】
【０００１】
本発明は、建物に取り付けられ、当該建物に設置される複数の被制御機器の作動を制御するコントローラに関するものである。
【背景技術】
【０００２】
従来、建物に取り付けられ、当該建物に設置される被制御機器（家電等）の作動を制御するコントローラが知られている。例えば、特許文献１に記載のコントローラ（ゲートウェイ）は、建物内または建物外の操作装置から操作要求を受け付け、受け付けた操作要求に応じて被制御機器に対して制御命令を出力する。
【先行技術文献】
【特許文献】
【０００３】
【特許文献１】特開２００２−４４７６５号公報
【発明の概要】
【発明が解決しようとする課題】
【０００４】
上記のような従来技術においては、現在または過去の被制御機器の作動を実現した操作要求がどのような操作装置から送信されたのかをユーザが判断するのが困難だという問題がある。
【０００５】
本発明は上記問題点に鑑み、建物に取り付けられ、当該建物に設置される複数の被制御機器の作動を制御するコントローラにおいて、被制御機器の動作がどのような操作装置の操作要求に起因して実現されたのかをユーザが容易に把握できるようにすることを目的とする。
【課題を解決するための手段】
【０００６】
上記目的を達成するための請求項１に記載の発明は、建物（１０ａ〜１０ｃ）に取り付けられ、前記建物に設置される被制御機器（１１〜１５）の作動を制御するコントローラであって、メモリ（１９１）と、演算部（１９５）と、を備え、前記演算部は、前記被制御機器に対する操作内容（６４）を含む操作要求（６０）を、複数の操作装置（２、４、５、１６、１７、１９２）のうち１つの操作装置からの情報に基づいて取得する取得手段（１１０）と、前記取得手段が前記操作要求を取得したことに基づいて、前記１つの操作装置の識別情報と前記操作内容とを互いに関連付けて前記メモリ中の操作履歴（１９１ｂ）に記録する記録手段（１３０）と、前記取得手段が前記操作要求を取得したことに基づいて、前記被制御機器に前記操作内容を実現させる制御命令を前記被制御機器に送信する制御命令送信手段（１４０）と、前記記録手段によって前記操作履歴に互いに関連付けて記録されている前記１つの操作装置の識別情報と前記操作内容とを表示部（１９３、４３）に表示させる表示制御手段（２３０）と、を有することを特徴とするコントローラ。
【０００７】
このようになっていることで、コントローラは、上記１つの操作装置からの情報に基づいて上記操作要求を取得すると、当該１つの操作装置の識別情報と当該操作内容とを互いに関連付けて操作履歴に記録し、当該被制御機器に当該操作内容を実現させる制御命令を送信する。そしてコントローラは、操作履歴に互いに関連付けて記録されている当該１つの操作装置の識別情報と当該操作内容とを表示部に表示させる。したがって、ユーザはこの表示部の表示を見ることで、当該被制御機器の現在または過去の動作がどのような操作装置の操作要求に起因して実現されたのかを容易に把握することができる。
【０００８】
また、請求項５に記載の発明は、建物（１０ａ〜１０ｃ）に取り付けられ、前記建物に設置される被制御機器（１１〜１５）の作動を制御するコントローラであって、メモリ（１９１）と、演算部（１９５）と、を備え、前記演算部は、前記被制御機器に対する操作内容（６４）を含む操作要求（６０）を、複数の操作装置（２、４、５、１６、１７、１９２）のうち１つの操作装置からの情報に基づいて取得する取得手段（１１０）と、前記取得手段が前記操作要求（６０）を取得したことに基づいて、前記被制御機器に前記操作内容を実現させる制御命令を前記被制御機器に送信する制御命令送信手段（１４０）と、前記取得手段が前記操作要求（６０）を取得したことに基づいて、前記１つの操作装置の識別情報と前記被制御機器の動作状態とを表示部（１９３、４３）に表示させる表示制御手段（１６０）と、を有することを特徴とするコントローラ。
【０００９】
このようになっていることで、コントローラは、上記１つの操作装置からの情報に基づいて上記操作要求を取得すると、当該被制御機器に当該操作内容を実現させる制御命令を送信する。そしてコントローラは、操作履歴に互いに関連付けて記録されている当該１つの操作装置の識別情報と当該被制御機器の現在の動作状態とを表示部に表示させる。したがって、ユーザはこの表示部の表示を見ることで、当該被制御機器の動作がどのような操作装置の操作要求に起因して実現されたのかを容易に把握することができる。
【００１０】
なお、上記および特許請求の範囲における括弧内の符号は、特許請求の範囲に記載された用語と後述の実施形態に記載される当該用語を例示する具体物等との対応関係を示すものである。
【図面の簡単な説明】
【００１１】
【図１】本発明の実施形態に係るエネルギー管理システム１００の構成図である。
【図２】操作装置４、５、１６、１７の各々が有する構成を示す図である。
【図３】ＨＥＭＳコントローラ１９の構成図である。
【図４】操作要求６０の構成を示す図である。
【図５】操作要求受付処理のフローチャートである。
【図６】可否リスト１９１ａを示す図である。
【図７】動作状態と、操作元機器名の表示例である。
【図８】操作履歴表示制御処理のフローチャートである。
【図９】操作履歴表示制御処理によって表示される操作履歴を示す図である。
【発明を実施するための形態】
【００１２】
以下、本発明の一実施形態について説明する。図１に示す本実施形態に係るエネルギー管理システム１００は、ＣＥＭＳ（Ｃｌｕｓｔｅｒ  Ｅｎｅｒｇｙ  Ｍａｎａｇｅｍｅｎｔ  ＳｙｓｔｅｍまたはＣｏｍｍｕｎｉｔｙ  Ｅｎｅｒｇｙ  Ｍａｎａｇｅｍｅｎｔ  Ｓｙｓｔｅｍ）を実現するためのものである。
【００１３】
このエネルギー管理システム１００は、図１に示すように、系統電力源１から電力の供給を受け、ＣＥＭＳサーバ２、リモートセンタ３、第１宅外操作装置４、第２宅外操作装置５を備えると共に、複数の需要家（建物の一例に相当する）１０ａ〜１０ｃを含む。
【００１４】
エネルギー管理システム１００に含まれる需要家１０ａ〜１０ｃは、同じ地域内に建てられている。エネルギー管理システム１００に含まれる需要家の数は、１０戸程度でもよいし、１００個程度でもよいし、１０００個程度でもよいが、本実施形態では、一例として３つの需要家１０ａ〜１０ｃがエネルギー管理システム１００に含まれている。なお、本実施形態においては、需要家１０ａ〜１０ｃは、それぞれ、発電装置が設置された供給家でもある。
【００１５】
需要家１０ａ〜１０ｃに設置される機器の構成は、いずれも同じなので、同一の符号を用いる。需要家１０ａ〜１０ｃの各々の内部または外部の近傍には、分電盤１１、給湯装置１２、発電装置１３、蓄電装置１４、機器群１５、第１宅内操作装置１６、第２宅内操作装置１７、ゲートウェイ１８、およびＨＥＭＳコントローラ１９が設置される。
【００１６】
分電盤１１は、地域内電力線２１を介して系統電力源１から電力供給を受け、更に、同じ需要家に設置される機器１２、１３、１５、１８、１９と宅内電力線２２を介して接続されている。分電盤１１は、系統電力源１等から受けた電力を宅内電力線２２を介して機器１２、１３、１５、１８、１９に供給する。また逆に、発電装置１３、蓄電装置１４から分電盤１１に電力が供給され、分電盤１１が供給された電力を同じ需要家内の機器群１５または他の需要家内の分電盤１１に電力を供給する場合もある。
【００１７】
給湯装置１２は、ヒートポンプユニットおよび貯湯ユニットを備え、ヒートポンプユニットが分電盤１１から供給された電力によって水を加熱して湯を沸き上げ、沸き上げた湯を貯湯ユニット内に貯蔵する。貯湯ユニット内に貯蔵された湯は、図示しない配管を介して風呂、台所等に供給される。
【００１８】
発電装置１３は、発電を行うことで分電盤１１または蓄電装置１４に電力を供給する装置であり、例えば、太陽光発電装置で実現可能である。蓄電装置１４は、発電装置１３から電力供給を受けて充電する二次電池、および、この二次電池による充電および放電を制御する充放電制御装置を有する。機器群１５は、室内空調装置、照明、電子錠、床暖房装置等、分電盤１１から電力を受けて作動する装置を複数含む。機器１１〜１５は、ＨＥＭＳコントローラ１９によって作動が制御されるので、各々が被制御機器の一例に相当する。
【００１９】
宅内操作装置１６、１７は、携帯電話機（スマートホン）、タブレット型コンピュータ、据え置き型パーソナルコンピュータ等の装置であり、同じ需要家に設置されるＨＥＭＳコントローラ１９と当該需要家内のＬＡＮ（ローカルエリアネットワーク）を介して通信を行う。宅内操作装置１６、１７は、ユーザの操作に応じて操作要求を生成し、当該ＬＡＮを介してこの操作要求をＨＥＭＳコントローラ１９に送信する。
【００２０】
ゲートウェイ１８は、当該ゲートウェイ１８が設置された需要家内のＬＡＮと当該需要家外の上述の広域ネットワークとを接続するゲートウェイ装置である。当該需要家のＨＥＭＳコントローラ１９とＣＥＭＳサーバ２、および、当該需要家のＨＥＭＳコントローラ１９とリモートセンタ３は、このゲートウェイ１８を介して通信可能となる。
【００２１】
ＨＥＭＳコントローラ１９は、同じ需要家内に設置された被制御機器１１〜１５の作動を制御すると共に、各被制御機器１１〜１５の作動状態等の情報をユーザに提供する装置である。
【００２２】
ＣＥＭＳサーバ２は、各需要家１０ａ〜１０ｃのゲートウェイ１８を介してＨＥＭＳコントローラ１９と通信することで、エネルギー管理システム１００全体のエネルギー需給のピークシフトもしくは平準化を行う装置である。ＣＥＭＳサーバ２は、操作装置４、５、１６、１７と同様、操作装置の一例に相当する。
【００２３】
リモートセンタ３は、インターネット等の広域通信ネットワークを介して第１宅外操作装置４、第２宅外操作装置５から操作要求を受信し、受信した操作要求を各需要家１０ａ〜１０ＨＥＭＳコントローラ１９に送信する装置である。
【００２４】
宅外操作装置４、５は、携帯電話機（スマートホン）、タブレット型コンピュータ、据え置き型パーソナルコンピュータ等の通信装置であり、インターネット等の広域通信ネットワークを介してリモートセンタ３と通信可能になっている。宅外操作装置４、５は、ユーザの入力操作に基づいて操作要求を生成し、当該広域通信ネットワークを介してこの操作要求をリモートセンタ３に送信する。
【００２５】
図２に示す通り、上述の宅外、宅内の操作装置４、５、１６、１７の各々は、メモリ４１、手動操作部４２、表示部４３、通信インターフェース４４、演算部４５を有している。
【００２６】
手動操作部４２は、ユーザの入力操作を直接受ける装置であり、例えば、タッチパネル、キーボード、マウス、マイク、カメラ等で実現可能である。表示部４３は、画像をユーザに表示する装置である。通信インターフェース４４は、上述の広域ネットワークまたはＬＡＮを介して通信を行うためのインターフェース回路である。演算部４５は、メモリ４１に記録されている各種プログラムを実行することで、必要に応じて通信インターフェース４４を用いて通信を行い、表示部４３に画像を表示させる。
【００２７】
図３に示す通り、各需要家１０ａ〜１０ｃのＨＥＭＳコントローラ１９は、それぞれ、メモリ１９１、手動操作部１９２、表示部１９３、通信インターフェース１９４、演算部１９５を有している。
【００２８】
メモリ１９１は、フラッシュメモリ等の不揮発性メモリとＲＡＭ等の揮発性メモリを含んでいる。不揮発性メモリ内には、演算部１９５が実行するプログラムに加え、可否リスト１９１ａ、操作履歴１９１ｂ等のデータが記録されるようになっている。
【００２９】
手動操作部１９２は、ユーザの入力操作を直接受ける装置であり、例えば、タッチパネル、キーボード、マウス、マイク、カメラ等で実現可能である。表示部１９３は、画像をユーザに表示する装置である。
【００３０】
通信インターフェース１９４は、上述のＬＡＮを介して第１宅内操作装置１６、第２宅内操作装置１７、ゲートウェイ１８と通信するためのＬＡＮ用インターフェースと、被制御機器１１〜１５と通信するための制御用通信インターフェースとを有している。
【００３１】
演算部１９５は、メモリ１９１に記録されている各種プログラムを実行することで、必要に応じて通信インターフェース１９４を用いて通信を行い、表示部１９３に画像を表示させる。
【００３２】
以下、上記のような構成のエネルギー管理システム１００の作動について説明する。まず、操作要求の送信について説明する。操作要求が送信される例としては、宅外操作装１６、１７から送信される例、宅外操作装４、５から送信される例、ＣＥＭＳサーバ２から送信される例の３つがある。
【００３３】
［宅内操作装置における操作要求の生成および送信］
上述の操作装置４、５、１６、１７の各々は、ユーザの入力操作に基づいて操作要求を送信する。
【００３４】
具体的には、需要家１０ａ〜１０ｃのうち１つの需要家（ここでは一例として需要家１０ａとする）内にある宅内操作装置１６、１７のうち１つに対して、ユーザが手動操作部４２を用いて入力操作を行ったとする。入力操作の内容は、需要家１０ａに設置された被制御機器１１〜１５のうち特定の１つの被制御機器の名称と、当該１つの被制御機器に対する操作内容（例えば、作動、停止、充電開始、放電開始等）を規定するものである。
【００３５】
すると当該１つの宅内操作装置の演算部４５は、この入力操作によって規定された当該特定の１つの被制御機器の名称および当該１つの被制御機器に対する操作内容に基づいて、操作要求を作成する。
【００３６】
図４に示すように、操作要求６０は、発生日時６１、操作元機器名６２、操作対象機器名６３、操作内容６４という４つのデータを含むデータである。上述の例の場合、当該演算部４５は、現在の日時を発生日時６１とし、操作元機器名６２を自機（当該演算部４５を有する操作装置）に付与された機器名とする。
【００３７】
自機に付与された機器名（操作装置の識別情報の一例に相当する）は、あらかじめメモリ４１中の不揮発性記憶媒体に記録されているものとする。この機器名は、１個１個の操作装置を一意に識別するための識別情報である。したがって、操作元機器名６２によって、自機を他の操作装置と区別することができる。例えば、機器名として、機器のＭＡＣ（Ｍｅｉｄａ  Ａｃｃｅｓｓ  Ｃｏｎｔｒｏｌ）アドレスを用いても良いし、機器毎にユーザが付けたコンピュータ名を用いてもよい。
【００３８】
また当該演算部４５は、上記ユーザの入力操作によって規定された当該特定の１つの被制御機器の名称および当該１つの被制御機器に対する操作内容を、それぞれ、操作対象機器名６３および操作内容６４とする。
【００３９】
そして当該演算部４５は、このようにして作成した発生日時６１、操作元機器名６２、操作対象機器名６３、操作内容６４を操作要求６０に含める。そして更に、通信インターフェース４４を用いて当該需要家１０ａ内のＬＡＮを介して、当該操作要求６０を当該需要家１０ａ内のＨＥＭＳコントローラ１９に送信する。この際、送信された操作要求６０は、当該需要家１０ａ内のＬＡＮは通るが、ゲートウェイ１８よりも外のネットワーク（広域ネットワークを含む）は通らない。当然に他の需要家１０ｂ、１０ｃ内のＬＡＮも通らない。
【００４０】
［宅外操作装置における操作要求の生成および送信］
また、需要家１０ａ〜１０ｃから遠く離れた遠隔地にある宅外操作装置４、５のうち１つに対して、ユーザが手動操作部４２を用いて入力操作を行ったとする。入力操作の内容は、需要家１０ａ〜１０ｃのうち特定の１つの需要家（ここでは需要家１０ａとする）の名称と、当該需要家１０ａに設置された被制御機器１１〜１５のうち特定の１つの被制御機器の名称と、当該１つの被制御機器に対する操作内容（例えば、作動、停止、充電開始、放電開始等）を規定するものである。
【００４１】
すると当該１つの宅外操作装置の演算部４５は、この入力操作によって規定された当該特定の１つの需要家１０ａの名称、当該特定の１つの被制御機器の名称、および当該１つの被制御機器に対する操作内容に基づいて、図４に示す構成の操作要求を作成する。
【００４２】
具体的には、発生日時６１、操作元機器名６２、操作内容６４の生成方法については、宅内操作装置１６、１７における操作要求の生成時における方法と同じである。
【００４３】
また、操作対象機器名６３については、当該演算部４５は、上記ユーザの入力操作によって規定された当該特定の１つの需要家１０ａの名称と当該特定の１つの被制御機器の名称の両方を含むデータを、操作対象機器名６３とする。これにより、操作対象機器名６３は、操作対象の被制御機器の名称のみならず、当該被制御機器が設置された需要家１０ａの名称も含む。
【００４４】
そして当該演算部４５は、このようにして作成した発生日時６１、操作元機器名６２、操作対象機器名６３、操作内容６４を操作要求６０に含める。そして更に、通信インターフェース４４を用いて上記広域ネットワークを介して、当該操作要求６０をリモートセンタ３に送信する。
【００４５】
リモートセンタ３は、このようにして宅外操作装置４、５から送信された操作要求６０を、上記広域ネットワークを介して受信し、受信した操作要求６０中の操作対象機器名６３に含まれている需要家の名称を読み出す。そして、読み出した名称を有する需要家に設置されたＨＥＭＳコントローラ１９に対して、当該操作要求６０を送信する。このようにして送信された操作要求６０は、広域ネットワーク、ゲートウェイ１８、および当該需要家内のＬＡＮを介してＨＥＭＳコントローラ１９に届く。このように、リモートセンタ３は、操作要求６０の中継機能を有している。なお、リモートセンタ３は、操作要求６０をこのように中継する際、宅外操作装置から受信した操作要求６０に対して、自機（リモートセンタ３）が中継を行ったことを示す所定の中継データを含めた上でＨＥＭＳコントローラ１９に送信する。
【００４６】
［ＣＥＭＳサーバ２における操作要求の生成および送信］
ＣＥＭＳサーバ２は、エネルギー管理システム１００全体のエネルギー需給のピークシフトもしくは平準化を行うために、操作要求を生成して各ＨＥＭＳコントローラ１９に送信する。
【００４７】
具体的には、各需要家１０ａ〜１０ｃのＨＥＭＳコントローラ１９において、演算部１９５は、繰り返し定期的に実績データを生成して通信インターフェース１９４を用いてＣＥＭＳサーバ２に送信する。そしてＣＥＭＳサーバ２はその実績データを受信する。
【００４８】
これらの実績データには、送信元のＨＥＭＳコントローラ１９の設置先の需要家における電力使用量、給湯装置１２の貯湯量、蓄電装置１４の蓄電量等、当該需要家におけるエネルギー（電力等）の需給実績のデータが含まれている。各ＨＥＭＳコントローラ１９の演算部１９５は、同じ需要家内に設置された各被制御機器１１〜１５から通信インターフェース１９４を介して受信した各被制御機器１１〜１５のエネルギーの需給実績（電力使用量、貯湯量、蓄電量等）に基づいて、これら需給実績のデータを生成する。
【００４９】
ＣＥＭＳサーバ２は、受信した各実績データに基づいて、現時点より後の期間における需要家１０ａ〜１０ｃ全体のエネルギー需給の量を予測する。そして、需要家需要家１０ａ〜１０ｃ全体のエネルギー需給量の予測結果に基づいて、需要家需要家１０ａ〜１０ｃ全体の現時点より後の期間におけるエネルギー需給のピークシフトもしくは平準化を行うため、需要家１０ａ〜１０ｃの被制御機器の運転計画を作成する。
【００５０】
運転計画は被制御機器１１〜１５の作動をどの時間帯にどのように制御するかについてのスケジュール（タイムテーブル）である。エネルギー需給量の予測結果等に基づいて、エネルギー需給のピークシフトもしくは平準化を行うために運転計画をどのように作成するかについては周知であり、例えば特開２０１３−１５６９３７号公報に記載されている。
【００５１】
そしてＣＥＭＳサーバ２は、作成した運転計画に従い、必要なタイミングでＨＥＭＳコントローラ１９に対して、図４に示す構成の操作要求６０を送信する。例えば、運転計画において時刻Ｔ１に需要家１０ａの蓄電装置１４に放電を開始させるようになっている場合、ＣＥＭＳサーバ２は、当該時刻Ｔ１が訪れると、操作要求６０の作成を開始する。そして、現在の日時を発生日時６１とし、操作元機器名６２を自機（ＣＥＭＳサーバ２）に付与された機器名とする。
【００５２】
ＣＥＭＳサーバ２に付与された機器名（操作装置の識別情報の一例に相当する）は、あらかじめＣＥＭＳサーバ２中の不揮発性記憶媒体に記録されているものとする。この機器名は、１個１個の操作装置を一意に識別するための識別情報である。したがって、操作元機器名６２によって、ＣＥＭＳサーバ２を他の操作装置と区別することができる。例えば、機器名として、機器のＭＡＣ（Ｍｅｉｄａ  Ａｃｃｅｓｓ  Ｃｏｎｔｒｏｌ）アドレスを用いても良いし、機器毎にユーザが付けたコンピュータ名を用いてもよい。
【００５３】
またＣＥＭＳサーバ２は、操作対象である蓄電装置１４の名称の両方を含むデータを操作対象機器名６３とする。またＣＥＭＳサーバ２は、当該操作対象の被制御機器（蓄電装置１４）に対する操作内容である「放電開始」を、操作内容６４とする。
【００５４】
そしてＣＥＭＳサーバ２は、このようにして作成した発生日時６１、操作元機器名６２、操作対象機器名６３、操作内容６４を操作要求６０に含め、上記操作対象の蓄電装置１４と同じ需要家１０ａに設置されたＨＥＭＳコントローラ１９に対して、当該操作要求６０を送信する。このようにして送信された操作要求６０は、広域ネットワーク、ゲートウェイ１８、および当該需要家内のＬＡＮを介してＨＥＭＳコントローラ１９に届く。
【００５５】
［ＨＥＭＳコントローラ１９における操作要求の取り扱い］
次に、上記のように送信された操作要求６０を受信したＨＥＭＳコントローラ１９の作動について説明する。ＨＥＭＳコントローラ１９の各々において、演算部１９５は、図５に示す操作要求受付処理を実行するようになっている。
【００５６】
演算部１９５は、図５の処理において、まずステップ１１０で、通信インターフェース１９４を介して上述のように操作装置２、４、５、１６、１７のいずれかで生成され送信された操作要求６０を受信するまで待機する。
【００５７】
そして、当該操作要求６０を受信すると、続いてステップ１２０に進み、受信した操作要求６０が受付可能か否かを、自機のメモリ１９１中に記録されている可否リスト１９１ａの記載内容に基づいて判定する。図６に、可否リスト１９１ａの構成例を示す。
【００５８】
ＨＥＭＳコントローラ１９のメモリ１９１に記録されている可否リスト１９１ａは、操作装置２、４、５、１６、１７の各々について、操作対象の被制御機器を指定してまたは指定せず、操作要求の受け付けの可否が設定されたデータである。
【００５９】
例えば、可否リスト１９１ａは、複数のレコード（図６の２行目移行の各行に相当する）を有し、各レコードは、操作元機器の名称、操作対象機器の名称、および、可か否かのデータを、１組有する。
【００６０】
演算部１９５は、受信した操作要求６０から操作元機器名６２を抽出し、抽出した操作元機器名６２を含むレコードを可否リスト１９１ａから検索する。そして、そのようなレコードが見つからなければ、操作要求６０は受付不可であると判定してステップ１１０に戻る。つまり、演算部１９５は、操作元機器名６２が可否リスト１９１ａ中になければ、操作要求６０を受け付けない。
【００６１】
また演算部１９５は、上記の検索の結果、操作要求６０から抽出した操作元機器名６２を含むレコードが見つかれば、当該操作要求６０から抽出した操作対象機器名６３が、当該レコードに含まれる操作対象機器の名称に該当するか否かを判定する。
【００６２】
例えば、当該レコードに含まれる操作対象機器の名称が１つである場合、当該操作要求６０から抽出した操作対象機器名６３が、当該レコードに含まれる操作対象機器と同じであれば「該当する」と判定し、同じでなければ「該当しない」と判定する。また、当該レコードに含まれる操作対象機器の名称が２つ以上である場合、当該操作要求６０から抽出した操作対象機器名６３が、当該レコードに含まれる操作対象機器の名称のいずれか１つと同じであれば「該当する」と判定し、どれとも同じでなければ「該当しない」と判定する。また、当該レコードに含まれる操作対象機器の名称が「すべて」である場合、当該操作要求６０から抽出した操作対象機器名６３によらず、「該当する」と判定する。
【００６３】
更に演算部１９５は、「該当する」と判定した場合、当該レコード中の可か否かのデータの値が「可」ならば、操作要求６０は受付可であると判定してステップ１３０に進み、「否」ならば、操作要求６０は受付不可であると判定してステップ１１０に戻る。
【００６４】
更に演算部１９５は、「該当しない」と判定した場合、当該レコード中の可か否かのデータの値が「可」ならば、操作要求６０は受付不可であると判定してステップ１１０に戻り、「不可」ならば、操作要求６０は受付可であると判定してステップ１３０に進む。
【００６５】
なお、この可否リスト１９１ａの内容は、ユーザの手動操作により編集することが可能となっている。つまり、ユーザが当該可否リスト１９１ａを記憶するＨＥＭＳコントローラ１９の手動操作部１９２を手動操作して、可否リスト１９１ａに対してレコードの追加、削除、および変更の指示を入力することができる。
【００６６】
演算部１９５は、この入力された指示に従って、可否リスト１９１ａの内容を書き換える。例えば、ＣＥＭＳサーバ２は上述の通り地域のピークシフトもしくは平準化を行う目的で、蓄電装置１４に放電させて系統電力源１への負荷を減らすため、蓄電装置１４に放電させる操作要求６０を送信する場合がある。しかし、需要家におけるユーザは、そのような地域全体の利益よりも、自身だけの利便性を優先させるため、蓄電装置１４の放電を禁止したいと考えるかもしれない。そのような場合には、図６のように、操作元機器としてＣＥＭＳサーバ２の名称を含み、操作対象機器として蓄電装置１４を含み、可か否かのデータとして「否」を含むレコードを、ユーザが手動操作で追加すれば、ＣＥＭＳサーバ２が蓄電装置１４を制御できなくなる。
【００６７】
ステップ１３０では、ステップ１１０で受信してステップ１２０で受付可であると判定した操作要求６０を、１つのレコードとしてメモリ１９１の操作履歴１９１ｂに追加記録する。これにより、当該操作要求６０中の発生日時６１、操作元機器名６２、操作対象機器名６３、操作内容６４が、互いに関連付けられて１つのレコードとして操作履歴１９１ｂに記録される。
【００６８】
このように、演算部１９５は、ステップ１１０で操作要求６０を受信してステップ１２０で当該操作要求６０が受付可であると判定する度に、当該操作要求６０を操作履歴１９１ｂに追加記録する。したがって、受付可となった操作要求６０を受ける度に操作履歴１９１ｂ中のレコードの数が１個増えていき、操作履歴１９１ｂには、受付可となった操作要求６０が複数個記録されるようになる。
【００６９】
続いてステップ１４０では、演算部１９５は、直前のステップ１１０で受信してステップ１３０で記録した操作要求６０に基づいて、制御命令を生成および送信する。具体的には、演算部１９５は、当該操作要求６０から操作内容６４を読み出し、この操作内容６４を含むデータを制御命令とする。これにより、制御命令が生成される。そして、当該操作要求６０から操作元機器名６２を抽出し、被制御機器１１〜１５のうち、抽出した操作元機器名６２を有する被制御機器に、当該制御命令を送信する。制御命令の送信は、通信インターフェース１９４のうち、上述の制御用通信インターフェースを用いて行う。
【００７０】
この制御命令を受信した被制御機器は、受信した制御命令に含まれる操作内容を実現する。例えば、制御命令を受信した被制御機器が蓄電装置１４であり、受信した制御命令に含まれる操作内容が「放電開始」ならば、当該蓄電装置１４は放電を開始する。また例えば、制御命令を受信した被制御機器がエアコンであり、受信した制御命令に含まれる操作内容が「オン」ならば、当該蓄電装置１４は作動を開始する。
【００７１】
続いてステップ１５０では、直前のステップ１４０で制御命令を送信してから所定時間（例えば１秒）が経過するまで待ち、その後、制御命令の送信先の被制御機器の動作状態を取得する。
【００７２】
具体的には、制御命令の送信先の被制御機器に対して、制御用通信インターフェースを介して動作状態問い合わせを送信する。この動作状態問い合わせを受信した被制御機器は、自機の動作状態（オン、オフ、放電中、充電中、湯増し中等）をＨＥＭＳコントローラ１９に送信する。演算部１９５は、このようにして送信された動作状態を制御用通信インターフェースを介して受信することで、当該被制御機器の動作状態を取得する。
【００７３】
続いてステップ１６０では、制御命令の送信先の被制御機器の名称（操作対象機器名６３）と、直前のステップ１５０で取得した動作状態と、直前のステップ１１０で受信した操作要求６０中の操作元機器名６２とを、表示部１９３に表示させる。
【００７４】
図７の表示例では、制御命令の送信先の被制御機器の名称が「リビングのエアコン」であり、取得した動作状態が「オン」であり、直前のステップ１１０で受信した操作要求６０中の操作元機器名６２が第１宅内操作装置１６であった場合の表示例を示している。
【００７５】
続いてステップ１７０では、受付完了通知を、操作元機器に送信する。具体的には、まず、直前のステップ１１０で受信した操作要求６０中の操作元機器名６２を抽出する。そして、当該操作要求６０に中継データが含まれているか否かを判定する。
【００７６】
当該操作要求６０に中継データが含まれているということは、当該操作要求６０がリモートセンタ３によって中継されたということである。当該操作要求６０に中継データが含まれていないということは、当該操作要求６０がリモートセンタ３によって中継されておらずＣＥＭＳサーバ２、第１宅内操作装置１６、第２宅内操作装置１７のうちいずれかから送信されたということである。
【００７７】
演算部１９５は、当該操作要求６０に中継データが含まれていないと判定した場合、通信インターフェース１９４を用いて、操作装置２、１６、１７のうち、抽出した操作元機器名６２を有する操作装置宛に、操作要求６０の受け付けが完了した事を示す受付完了通知を、送信する。
【００７８】
また演算部１９５は、当該操作要求６０に中継データが含まれていると判定した場合、通信インターフェース１９４を用いて、リモートセンタ３宛に、操作要求６０の受け付けが完了した事を示す受付完了通知を送信する。ただし、この受付完了通知には、最終的な宛先として、抽出した操作元機器名６２を含める。
【００７９】
受付完了通知の宛先が宅内操作装置である場合は、この受付完了通知は、ＬＡＮを通って広域ネットワークを通らずに宅内操作装置に届く。受付完了通知の宛先がＣＥＭＳサーバ２である場合は、この受付完了通知は、ゲートウェイ１８および広域ネットワークを通ってＣＥＭＳサーバ２に届く。受付完了通知の宛先がリモートセンタ３である場合は、この受付完了通知は、まずリモートセンタ３に届き、その後、リモートセンタ３が、当該受付完了通知に含まれる最終的な宛先の宅外操作装置に、当該受付完了通知を送信する。
【００８０】
宛先の操作装置がＣＥＭＳサーバ２以外の操作装置４、５、１６、１７である場合、当該操作装置の演算部４５は、通信インターフェース４４を介して受付完了通知を受信すると、操作要求６０の受け付けが完了した旨を表示部４３に表示させる。
【００８１】
このように、各ＨＥＭＳコントローラ１９は、被制御機器１１〜１５のいずれか１つに対する操作内容６４を含む操作要求６０を、通信インターフェースを介して複数の操作装置２、４、５、１６、１７のうち１つから受信したことに基づいて（ステップ１１０）、当該１つの被制御機器に当該操作内容６４を実現させる制御命令を当該１つの被制御機器に送信する（ステップ１４０）。更にＨＥＭＳコントローラ１９は、当該１つの操作装置の名称（操作元機器名６２）と当該１つの被制御機器の現在の動作状態とを表示部１９３に表示させる（ステップ１６０）。このようになっていることで、ユーザはこの表示部１９３の表示を見ることで、当該被制御機器の現在の動作がどのような操作装置の操作要求に起因して実現されたのかを容易に把握することができる。
【００８２】
［操作履歴表示制御処理］
次にＨＥＭＳコントローラ１９によって行われる操作履歴表示制御処理について説明する。まず、操作履歴表示要求の送信について説明する。操作履歴表示要求は、操作装置４、５、１６、１７のいずれかにおいてユーザの入力操作に基づいて生成および送信される。
【００８３】
具体的には、需要家１０ａ〜１０ｃのうち１つの需要家（ここでは一例として需要家１０ａとする）内にある宅内操作装置１６、１７のうち１つに対して、ユーザが手動操作部４２を用いて履歴表示を要求する入力操作を行ったとする。すると当該１つの宅内操作装置の演算部４５は、自機（当該演算部４５を有する宅内操作装置）に付与された機器名である要求元機器名と、操作履歴表示要求であることを示す所定のデータと、を含む操作履歴表示要求を生成する。そして更に、通信インターフェース４４を用いて当該需要家１０ａ内のＬＡＮを介して、当該操作履歴表示要求を当該需要家１０ａ内のＨＥＭＳコントローラ１９に送信する。この際、送信された操作履歴表示要求は、当該需要家１０ａ内のＬＡＮは通るが、ゲートウェイ１８よりも外のネットワーク（広域ネットワークを含む）は通らない。当然に他の需要家１０ｂ、１０ｃ内のＬＡＮも通らない。
【００８４】
また、需要家１０ａ〜１０ｃから遠く離れた遠隔地にある宅外操作装置４、５のうち１つに対して、ユーザが手動操作部４２を用いて履歴表示を要求する入力操作を行ったとする。そして更に当該ユーザは手動操作部４２を用いて、需要家１０ａ〜１０ｃのうち特定の１つの需要家（ここでは需要家１０ａとする）の名称の入力操作を行ったとする。すると当該１つの宅外操作装置の演算部４５は、自機（当該演算部４５を有する宅外操作装置）に付与された機器名であるである要求元機器名と、当該１つの需要家１０ａの名称と、操作履歴表示要求であることを示す所定のデータと、を含む操作履歴表示要求を生成する。そして更に、通信インターフェース４４を用いて上記広域ネットワークを介して当該操作履歴表示要求をリモートセンタ３に送信する。
【００８５】
リモートセンタ３は、このようにして宅外操作装置４、５から送信された操作履歴表示要求を、上記広域ネットワークを介して受信し、受信した操作履歴表示要求に含まれる需要家の名称を読み出す。そして、読み出した名称を有する需要家１０ａに設置されたＨＥＭＳコントローラ１９に対して、当該操作履歴表示要求を送信する。このようにして送信された操作履歴表示要求は、広域ネットワーク、ゲートウェイ１８、および当該需要家１０ａ内のＬＡＮを介してＨＥＭＳコントローラ１９に届く。このように、リモートセンタ３は、操作履歴表示要求の中継機能を有している。なお、リモートセンタ３は、操作履歴表示要求をこのように中継する際、宅外操作装置から受信した操作履歴表示要求に対して、自機（リモートセンタ３）が中継を行ったことを示す所定の中継データを含めた上でＨＥＭＳコントローラ１９に送信する。
【００８６】
次に、上記のように送信された操作履歴表示要求を受信したＨＥＭＳコントローラ１９の作動について説明する。ＨＥＭＳコントローラ１９の各々において、演算部１９５は、図８に示す操作履歴表示制御処理を、図５の処理と同時並行で実行するようになっている。
【００８７】
演算部１９５は、図８の処理において、まずステップ２１０で、通信インターフェース１９４を介して上述のように操作装置４、５、１６、１７のいずれかで生成され送信された操作履歴表示要求を受信するまで待機する。
【００８８】
そして、当該操作履歴表示制御要求を受信すると、続いてステップ２２０に進み、自機のメモリ１９１に記録されている操作履歴１９１ｂを読み出す。
【００８９】
続いてステップ２３０では、直前のステップ２２０で読み出した操作履歴１９１ｂの表示制御を行う。具体的には、まず、直前のステップ２１０で受信した操作履歴表示要求に含まれる要求元機器名を抽出する。そして、当該操作履歴表示要求に中継データが含まれているか否かを判定する。
【００９０】
当該操作履歴表示要求に中継データが含まれているということは、当該操作履歴表示要求がリモートセンタ３によって中継されたということである。当該操作履歴表示要求に中継データが含まれていないということは、当該操作履歴表示要求がリモートセンタ３によって中継されておらず宅内操作装置１６、１７のうちいずれかから送信されたということである。
【００９１】
演算部１９５は、当該操作履歴表示要求に中継データが含まれていないと判定した場合、通信インターフェース１９４を用いて、宅内操作装置１６、１７のうち、抽出した要求元機器名を有する操作装置宛に、直前のステップ２２０で読み出した操作履歴１９１ｂを、送信する。なお、具体的に送信するのは、操作履歴１９１ｂに含まれている複数のレコードのうち発生日時が最新となる所定の複数個である。この所定の複数個は、操作履歴１９１ｂに含まれているレコードの全数であってもよいし、当該全数よりも少ない個数であってもよい。
【００９２】
また演算部１９５は、当該操作履歴表示要求に中継データが含まれていると判定した場合、通信インターフェース１９４を用いて、リモートセンタ３宛に、直前のステップ２２０で読み出した操作履歴１９１ｂを送信する。なお、具体的に送信するのは、操作履歴１９１ｂに含まれている複数のレコードのうち発生日時が最新となる所定の複数個である。この所定の複数個は、操作履歴１９１ｂに含まれているレコードの全数であってもよいし、当該全数よりも少ない個数であってもよい。ただし、この送信用の操作履歴１９１ｂには、最終的な宛先として、抽出した要求元機器名を含める。
【００９３】
操作履歴１９１ｂの宛先が宅内操作装置である場合は、この操作履歴１９１ｂは、ＬＡＮを通って広域ネットワークを通らずに宅内操作装置に届く。操作履歴１９１ｂの宛先がリモートセンタ３である場合は、この操作履歴１９１ｂは、まずリモートセンタ３に届き、その後、リモートセンタ３が、当該操作履歴１９１ｂに含まれる最終的な宛先の宅外操作装置に、当該操作履歴１９１ｂを送信する。
【００９４】
宛先の操作装置の演算部４５は、通信インターフェース４４を介して当該操作履歴１９１ｂを受信すると、受信した操作履歴１９１ｂに含まれる全レコードを、例えば図９のように、自機の表示部４３に表示させる。図９に例示した表示形態では、各行が１つのレコードに相当する。この表示を見ることで、ユーザは、いつ、どの操作装置によって、どの被制御機器が、どのような操作内容で操作されたかについて、複数のレコードを一覧することができる。したがって、ユーザはこの表示部４３の表示を見ることで、被制御機器１１〜１５の現在または過去の動作がどのような操作装置の操作要求に起因して実現されたのかを容易に把握することができる。
【００９５】
例えばユーザは、このような操作履歴１９１ｂの表示を見ることで、自分の需要家に設置された被制御機器１１〜１５について、自分の意図しなかった動作がどの操作装置の操作要求６０によって実現されたかを、過去に遡って知ることができる。そしてその知見に基づいて、手動操作部１９２を操作して操作履歴１９１ｂを編集することで、特定の操作装置から特定の被制御機器を対象とする操作要求６０が受け付けられないようにすることも可能である。
【００９６】
このように、本実施形態では、ＨＥＭＳコントローラ１９は、操作装置２、４、５、１６、１７の各々から受け付けた操作指示に基づいて被制御機器１１〜１５を操作する際に、表示部１９３にどの機器から操作指示を受け付けたものかを表示できる。また各操作装置２、４、５、１６、１７からの指示を操作履歴１９１ｂとして表示部４３に表示できる。したがって、ユーザは、ユーザの想定と異なる機器動作を行っていた場合に要因を確認できる事ができる。
【００９７】
なお、本実施形態の宅外操作装置４、５は、もし需要家１０ａ〜１０ｃのいずれかに持ち込まれれば、リモートセンタ３も広域ネットワークも介さず需要家内のＬＡＮのみを介してＨＥＭＳコントローラ１９に操作要求６０を送信することができる。つまり、本実施形態の宅外操作装置４、５は需要家１０ａ〜１０ｃのいずれかに持ち込まれれば宅内操作装置として機能する。また逆に、本実施形態の宅内操作装置１６、１７は、もし需要家１０ａ〜１０ｃから遠く離れた遠隔地に持ち出されれば、宅外操作装置４、５と同等の作動を行うことで、リモートセンタ３および広域ネットワークを介してＨＥＭＳコントローラ１９に操作要求６０を送信することができる。
【００９８】
なお、本実施形態では、ＨＥＭＳコントローラ１９から手動操作部１９２および表示部１９３を除いた部分が、コントローラの一例に相当する。また、演算部１９５が、ステップ１１０を実行することで取得手段の一例として機能し、ステップ１３０を実行することで記録手段の一例として機能し、ステップ１４０を実行することで制御命令送信手段の一例として機能し、ステップ１６０、２３０を実行することで表示制御手段の一例として機能する。
【００９９】
（他の実施形態）
なお、本発明は上記した実施形態に限定されるものではなく、特許請求の範囲に記載した範囲内において適宜変更が可能である。また、また、上記実施形態において、実施形態を構成する要素は、特に必須であると明示した場合および原理的に明らかに必須であると考えられる場合等を除き、必ずしも必須のものではないことは言うまでもない。また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記実施形態において、構成要素等の形状、位置関係等に言及するときは、特に明示した場合および原理的に特定の形状、位置関係等に限定される場合等を除き、その形状、位置関係等に限定されるものではない。また、本発明は、上記実施形態に対する以下のような変形例も許容される。なお、以下の変形例は、それぞれ独立に、上記実施形態に適用および不適用を選択できる。すなわち、以下の変形例のうち任意の組み合わせを、上記実施形態に適用することができる。
【０１００】
（変形例１）
上記実施形態では、操作装置２、４、５、１６、１７が操作要求６０を送信したとき、当該操作要求６０に含まれる当該操作装置の識別情報は、当該操作装置を他の操作装置と操作装置と区別することができる操作元機器名となっている。
【０１０１】
しかし、操作装置の識別情報は、必ずしもこのようになっておらずともよい。例えば、操作要求６０に含まれる操作装置の識別情報は、当該操作装置が、需要家の外の上記広域通信ネットワークを介して当該操作要求６０を送信したか、当該広域通信ネットワークを介さず需要家内のＬＡＮを介して当該操作要求６０を送信したかを区別するための識別情報であってもよい。
【０１０２】
例えば、リモートセンタ３は、操作要求６０を中継する際、宅外操作装置４、５から受信した操作要求６０に対して、操作元機器名６２に自機の名称を追加してもよいし、操作元機器名６２の内容を自機の名称に置き換えてもよい。そしてリモートセンタ３は、追加または置き換え後の操作要求６０をＨＥＭＳコントローラ１９に送信する。このようにした場合、この操作要求６０を受信したＨＥＭＳコントローラ１９の演算部１９５は、ステップ１３０でこの操作要求６０を操作履歴１９１ｂに記録する。
【０１０３】
このようになっていれば、操作要求６０および操作履歴１９１ｂのレコード中の操作元機器名６２によって、当該操作要求６０操作装置が、需要家の外の上記広域通信ネットワークを介して当該操作要求６０を送信したか、当該広域通信ネットワークを介さず需要家内のＬＡＮを介して当該操作要求６０を送信したかを区別することができる。
【０１０４】
具体的には、操作元機器名６２にＣＥＭＳサーバ２の名称またはリモートセンタ３の名称が含まれていれば、当該操作要求６０の送信元の操作装置が、需要家の外の上記広域通信ネットワークを介して当該操作要求６０を送信したことになる。また、操作元機器名６２にＣＥＭＳサーバ２の名称もリモートセンタ３の名称も含まれていなければ、当該操作要求６０の送信元の操作装置が、当該広域通信ネットワークを介さず需要家内のＬＡＮを介して当該操作要求６０を送信したことになる。
【０１０５】
（変形例２）
上記実施形態では、可否リスト１９１ａは、複数のレコードを有し、各レコードは、操作元機器の名称、操作対象機器の名称、および、可か否かのデータを、１組有するようになっている。しかし、必ずしもこのようになっておらずともよい。
【０１０６】
例えば、可否リスト１９１ａの構成はより簡易でもよく、複数のレコードを有し、各レコードは、操作元機器の名称、および、可か否かのデータのみを、１組有するようになっていてもよい。
【０１０７】
また例えば、可否リスト１９１ａの構成はより複雑でもよく、例えば、複数のレコードを有し、各レコードは、操作元機器の名称、操作対象機器の名称、可か否かのデータ、およびパスワード要否のデータを、１組有するようになっていてもよい。パスワード要否のデータは、値が「要」と「不要」の２つのうちどちらかになることができる。
【０１０８】
例えば、あるレコードにおいて、操作元機器の名称がＡ、操作対象機器の名称がＢ、パスワード要否のデータの値が「要」になっているとする。そして、ＨＥＭＳコントローラ１９が操作要求６０を受信し、この操作要求６０中の操作元機器名６２がＡであり、操作対象機器名６３がＢであったとする。この場合、当該ＨＥＭＳコントローラ１９の演算部１９５は、ステップ１２０で、当該操作要求６０中に所定のパスワードが含まれているか否かを判定し、含まれていれば操作要求が受付可能であると判定してステップ１３０に進み、含まれていなければ、操作要求が受付可能でないと判定してステップ１１０に戻る。なお、操作要求６０に所定のパスワードが含まれる場合としては、操作要求６０の送信元の操作装置において、ユーザが手動操作部４２を用いて当該パスワードを入力し、演算部４５がその入力に基づいて操作要求６０に当該パスワードを入力する場合がある。
【０１０９】
また例えば、あるレコードにおいて、操作元機器の名称がＡ、操作対象機器の名称がＢ、パスワード要否のデータの値が「不要」になっているとする。そして、ＨＥＭＳコントローラ１９が操作要求６０を受信し、この操作要求６０中の操作元機器名６２がＡであり、操作対象機器名６３がＢであったとする。この場合、当該ＨＥＭＳコントローラ１９の演算部１９５は、ステップ１２０で、当該操作要求６０中に所定のパスワードが含まれているかいないかに関わらず、操作要求が受付可能であると判定してステップ１３０に進む。
【０１１０】
（変形例３）
上記実施形態では、演算部１９５が、図５のステップ１６０において、図７に示すような、操作要求６０に基づく制御命令の送信先の被制御機器の名称と、当該被制御機器の動作状態と、当該操作要求６０の送信元の操作装置を、自機の表示部１９３に表示させる。
【０１１１】
しかし、ＨＥＭＳコントローラ１９の演算部１９５は、この情報を必ずしも自機の表示部１９３に表示させなくともよい。例えば、自機の表示部１９３の代わりに、宅内操作装置１６、１７のいずれかの表示部４３に、上記の情報を表示させるようになっていてもよい。
【０１１２】
（変形例４）
上記実施形態に加え、各ＨＥＭＳコントローラ１９の通信インターフェース１９４は、手動操作部１９２に対して履歴表示を要求する入力操作があった場合、自機のメモリ１９１に記録されている操作履歴１９１ｂを読み出し、図９のように、表示部１９３にリスト表示するようになっていてもよい。
【０１１３】
（変形例５）
上記実施形態では、操作要求６０は、ＨＥＭＳコントローラ１９以外の装置が作成してＨＥＭＳコントローラ１９に届くようになっている。しかし、操作要求６０は、ＨＥＭＳコントローラ１９内で作成させるようになっていてもよい。
【０１１４】
例えば、ＨＥＭＳコントローラ１９のユーザが、手動操作部１９２を用いて入力操作を行ったとする。入力操作の内容は、ＨＥＭＳコントローラ１９と同じ需要家に設置された被制御機器１１〜１５のうち特定の１つの被制御機器の名称と、当該１つの被制御機器に対する操作内容を規定するものである。
【０１１５】
すると演算部１９５は、この入力操作によって規定された当該特定の１つの被制御機器の名称および当該１つの被制御機器に対する操作内容に基づいて、操作要求６０を作成する。具体的には、現在の日時を発生日時６１とし、操作元機器名６２を自機（手動操作部１９２またはＨＥＭＳコントローラ１９）に付与された機器名とする。また、入力操作によって規定された当該特定の１つの被制御機器の名称および当該１つの被制御機器に対する操作内容を、それぞれ、操作対象機器名６３および操作内容６４とする。そして、これら発生日時６１、操作元機器名６２、操作対象機器名６３、操作内容６４を有する操作要求６０を作成してメモリ１９１に記録する。このように、演算部１９５は、表示部１９３からの情報に基づいて操作要求６０を取得する。
【０１１６】
そしてその後は、図５のステップ１２０以降と同じである。ただし、ステップ１２０〜１６０における「操作要求６０」は、上述の入力操作によって演算部１９５が作成および記録した操作要求６０である。また、ステップ１６０の後は、ステップ１７０の受付完了通知は行わずに、上記入力操作に基づく処理を終了する。この場合、手動操作部１９２も、操作装置の一例に相当する。
【符号の説明】
【０１１７】
２                      ＣＥＭＳサーバ（操作装置）
３                      リモートセンタ
４、５                  宅外操作装置（操作装置）
１６、１７              宅内操作装置（操作装置）
１０ａ〜１０ｃ          需要家
１９１                  メモリ
１９１ａ                可否リスト
１９１ｂ                操作履歴
１９２                  手動操作部（操作装置）
１９３                  表示部
１９５                  演算部
【図１】
2016019084.tif 000003
【図２】
2016019084.tif 000004
【図３】
2016019084.tif 000005
【図４】
2016019084.tif 000006
【図５】
2016019084.tif 000007
【図６】
2016019084.tif 000008
【図７】
2016019084.tif 000009
【図８】
2016019084.tif 000010
【図９】
2016019084.tif 000011